(57)【要約】【課題】足に伝達される衝撃力を效果的に緩和し、履物の履き心地を向上させることができ、履物の内の空気循環を通じて密閉空気を外に排出し、履物の内部で発生する熱、汗、悪臭などを除去することによって、健康を増進させることができる。【解決手段】  本発明は、底を形成するアウトソールと、アウトソールの上部に備えられるミッドソールと、ミッドソールの上部に備えられて使用者の足の裏が接触するインソールとを有する履物に関し、所定の弾性力を有するスプリングを有し、使用者の足に加えられる衝撃を緩和させる緩衝部と；ミッドソールの一領域に陷沒形成され、緩衝部を収容する収容部と；収容部とアウトソールの外側とを連通し、収容部の一部の空気がアウトソールの外側に向かって排出される空気排出路と；空気排出路に備えられ、空気排出路を通じて外部に排出される空気が逆流することを防止するエアチェックバルブと、を含むことを特徴とする。【選択図】  図３
2008508927.tif 000002
【特許請求の範囲】
【請求項１】
底を形成するアウトソールと、前記アウトソールの上部に備えられるミッドソールと、前記ミッドソールの上部に備えられて使用者の足の裏が接触するインソールとを有する履物において、
所定の弾性力を有するスプリングを有し、使用者の足に加えられる衝撃を緩和させる緩衝部と；
前記ミッドソールの一領域に陷沒形成され、前記緩衝部を収容する収容部と；
前記収容部と前記アウトソールの外側とを連通し、前記収容部の一部の空気が前記アウトソールの外側に向かって排出される空気排出路と；
前記空気排出路に備えられ、前記空気排出路を通じて外部に排出される空気が逆流することを防止するエアチェックバルブと、を含むことを特徴とする履物。
【請求項２】
前記エアチェックバルブは、
前記空気排出路に着脱可能に結合され、前記収容部の一部の空気が前記空気排出路に流入する流入孔が形成された収容部キャップと；
前記収容部キャップと所定の間隔を有して前記空気排出路に着脱可能に結合され、前記空気排出路内の空気が前記アウトソールの外側に排気される排気孔が形成された外部キャップと；
前記収容部キャップおよび前記外部キャップの間に備えられ、前記収容部キャップに接近および離隔して前記流入孔を開閉する開閉ロッドと；
前記開閉ロッドが前記収容部キャップに密着するように所定の弾性力を提供するバルブ用スプリングと、を含むことを特徴とする請求項１に記載の履物。
【請求項３】
前記緩衝部は、
複数のスプリングと；
前記スプリングの一端部をそれぞれ支持する複数のスプリング支持端を有し、前記収容部に収容される下部キャップと；
前記スプリング支持端に昇降可能に備えられて前記スプリングの他端部をそれぞれ支持する複数の昇降ロッドを有し、前記下部キャップと対向配置される上部キャップと；
前記昇降ロッドにねじ結合され、前記下部キャップと上部キャップとを相互連結するボルトとを含み、
前記スプリング支持端には前記ボルトのヘッドが係止維持される係止部が形成されていることを特徴とする請求項２に記載の履物。
【請求項４】
前記緩衝部は、
複数のスプリングと；
前記スプリングの一端部をそれぞれ支持する複数のスプリング支持端を有し、前記収容部に収容される下部キャップと；
前記スプリングを介して前記下部キャップと対向配置される上部キャップと；
前記スプリングの他端部が支持されるボディ部と、前記ボディ部の軸線に対して垂直をなして突出した係止突起を有し、前記スプリング支持端に結合されて前記下部キャップと上部キャップとを相互連結するクリップとを含み、
前記スプリング支持端には前記クリップの係止突起が係止される係止部が形成されていることを特徴とする請求項２に記載の履物。
【請求項５】
前記収容部は、前記ミッドソールの足の指部および踵部領域にそれぞれ備えられ、前記各収容部の間には前記各収容部を相互連通して前記各収容部内の空気が流動する複数のグルーブが形成されていることを特徴とする請求項３または４に記載の履物。
【請求項６】
前記インソールには前記収容部と連通する複数の第１通気孔が形成され、前記上部キャップには前記収容部と連通する複数の第２通気孔が形成されていることを特徴とする請求項５に記載の履物。
【請求項７】
前記ミッドソールに香水および抗菌剤を注入するように前記インソールに貫通形成された注入口と；
前記複数のグルーブと連通可能に前記ミッドソールに備えられ、前記注入口から注入された前記香水および抗菌剤を収容する補助収容部とをさらに含むことを特徴とする請求項５に記載の履物。
【発明の詳細な説明】
【技術分野】
【０００１】
本発明は履物に関し、より詳しくは、使用者の足の裏に加えられる衝撃を緩和させる履物の緩衝構造を改善した履物に関する。
【背景技術】
【０００２】
一般に、歩行時および運動時、足に衝撃力が加えられる。足に継続的に衝撃力が伝達されれば、履物の着用者は不便さ、疲れおよび負傷を負うようになる。
【０００３】
このような衝撃力を吸収するために、通常、履物には衝撃吸収用クッションが備えられている。衝撃吸収用クッションは履物の後方のミッドソール部分に取り付けられる。
【０００４】
このような衝撃吸収用クッションは合成樹脂からなるか、または空気を充填させた構造のエアバッグからなる。
【０００５】
一方、合成樹脂からなる衝撃吸収用クッションの場合、長期間使用すれば摩耗し、持続的に加えられる荷重によって最初の衝撃吸収力を次第に喪失するようになるという問題点がある。
【０００６】
また、エアバッグが適用された衝撃吸収用クッションの場合、摩擦と鋭い素材とがぶつかることや摩耗によって充填されたエアが漏れ、衝撃吸収機能を喪失する恐れがある。
【０００７】
したがって、従来の履物においては、歩行の際に発生する衝撃力の吸収が持続的でないので、足を踏む際の衝撃が足に伝達され易いだけでなく、履物の履き心地が低下するという問題点がある。
【発明の開示】
【発明が解決しようとする課題】
【０００８】
したがって、本発明の目的は、足に伝達される衝撃力を效果的に緩和し、履物の履き心地を向上させることができ、履物内の空気循環を通じて密閉空気を外に排出し、履物の内部で発生する熱、汗、悪臭などを除去することによって、健康を増進させることができる履物を提供することにある。
【課題を解決するための手段】
【０００９】
前記目的は、本発明によって、底を形成するアウトソールと、前記アウトソールの上部に備えられるミッドソールと、前記ミッドソールの上部に備えられて使用者の足の裏が接触するインソールとを有する履物において、所定の弾性力を有するスプリングを有し、使用者の足に加えられる衝撃を緩和させる緩衝部と；前記ミッドソールの一領域に陷沒形成され、前記緩衝を収容する収容部と；前記収容部と前記アウトソール外側とを連通し、前記収容部の一部の空気が前記アウトソールの外側に向かって排出される空気排出路と；前記空気排出路に備えられ、前記空気排出路を通じて外部に排出される空気が逆流することを防止するエアチェックバルブと、を含むことを特徴とする履物によって達成される。
【００１０】
ここで、前記エアチェックバルブは、前記空気排出路に着脱可能に結合され、前記収容部の一部空気が前記空気排出路に流入する流入孔が形成された収容部キャップと；前記収容部キャップと所定の間隔を有して前記空気排出路に着脱可能に結合され、前記空気排出路内の空気が前記アウトソール外側に排気される排気孔が形成された外部キャップと；前記収容部キャップおよび前記外部キャップの間に備えられ、前記収容部キャップに接近および離隔して前記流入孔を開閉する開閉ロッドと；前記開閉ロッドが前記収容部キャップに密着するように所定の弾性力を提供するバルブ用スプリングと、を含むことが好ましい。
【００１１】
前記緩衝部は、一実施形態として、複数のスプリングと；前記スプリングの一端部をそれぞれ支持する複数のスプリング支持端を有し、前記収容部に収容される下部キャップと；前記スプリング支持端に昇降可能に備えられ、前記スプリングの他端部をそれぞれ支持する複数の昇降ロッドを有し、前記下部キャップと対向配置される上部キャップと；前記昇降ロッドにねじ結合され、前記下部キャップと上部キャップとを相互連結するボルトとを含み、前記スプリング支持端には前記ボルトのヘッドが係止維持される係止部が形成されることもできる。
【００１２】
前記緩衝部は、他の実施形態として、複数のスプリングと；前記スプリングの一端部をそれぞれ支持する複数のスプリング支持端を有し、前記収容部に収容される下部キャップと；前記スプリングを介して前記下部キャップと対向配置される上部キャップと；前記スプリングの他端部が支持されるボディ部と、前記ボディ部の軸線に対して垂直をなして突出した係止突起を有し、前記スプリング支持端に結合されて前記下部キャップと上部キャップとを相互連結するクリップとを含み、前記スプリング支持端には前記クリップの係止突起が係止される係止部が形成されることもできる。
【００１３】
一方、前記収容部は、前記ミッドソールの足の指部および踵部領域にそれぞれ備えられ、前記各収容部の間には前記各収容部を相互連通して前記各収容部内の空気が流動する複数のグルーブが形成されることもできる。
【００１４】
前記インソールには前記収容部と連通する複数の第１通気孔が形成され、前記上部キャップには前記収容部と連通する複数の第２通気孔が形成されることによって、前記収容部の空気を循環させ、足の裏が汗ばまないようにして足の健康を増進させることができる。
【００１５】
前記ミッドソールに香水および抗菌剤を注入するように前記インソールに貫通形成された注入口と；前記複数のグルーブと連通可能に前記ミッドソールに備えられ、前記注入口から注入された前記香水および抗菌剤を収容する補助収容部とをさらに含むことによって、履物の内部で発生する悪臭および細菌の除去が可能となり、健康を増進させることができるようになる。
【発明の効果】
【００１６】
本発明によれば、足に伝達される衝撃力を效果的に緩和し、履物の履き心地を向上させることができ、履物の内の空気循環を通じて密閉空気を外に排出し、履物の内部で発生する熱、汗、悪臭などを除去することによって、健康を増進させることができる履物が提供される。
【発明を実施するための最良の形態】
【００１７】
以下、添付図面を参照しながら本発明について詳細に説明する。
【００１８】
説明に先立って、いろいろな実施形態において、同一の構成を有する構成要素については同一の符号を付けて代表的に一実施形態で説明し、その他の実施形態では一実施形態と異なる構成についてのみ説明する。
【００１９】
図１は本発明の一実施形態による履物の分解斜視図であり、図２は図１の側断面図である。これら図面に示すように、本発明の一実施形態による履物１は、底を形成するアウトソール１１と、アウトソール１１の上部に備えられるミッドソール１３と、ミッドソール１３の上部に備えられて使用者の足の裏が接触するインソール１５と、ミッドソール１３の上部の周縁領域に沿って備えられて使用者の足を収容する空間部を形成するアッパーソール１７を有する。
【００２０】
ミッドソール１３の足の指部および踵部領域には、後述する緩衝部３１ａ、３１ｂを収容する収容部２１ａ、２１ｂがそれぞれ備えられており、この収容部２１ａ、２１ｂはミッドソール１３の上部面から所定の深みで陷沒形成されている。各収容部２１ａ、２１ｂの間には各収容部２１ａ、２１ｂを相互連通する半球型の断面形状を有する複数のグルーブ２３が形成されており、このグルーブ２３に沿って各収容部２１ａ、２１ｂ内の空気が流動するようになる。
【００２１】
ミッドソール１３の各収容部２１ａ、２１ｂの間には香水および抗菌剤を収容する補助収容部２５が備えられている。補助収容部２５は四角断面状を有し、複数のグルーブ２３と連通可能にミッドソール１３の上部面から所定の深みで陷沒形成されている。これによって、補助収容部２５に収容された香水および抗菌剤が、各グルーブ２３に沿って各収容部２１ａ、２１ｂを経てインソール１５に形成されたそれぞれの第１通気孔１５ａを通じ履物１の内部に排出され、履物１の内部で発生する悪臭および細菌の除去が可能となり、健康を増進させることができるようになる。
【００２２】
ミッドソール１３の各収容部２１ａ、２１ｂには、使用者の足に加えられる衝撃を緩和させる緩衝部３１ａ、３１ｂが備えられる。
【００２３】
図３および図４に示すように、緩衝部３１ａ、３１ｂは、複数のスプリング３３と、スプリング３３の一端部を支持し、収容部２１ａ、２１ｂに収容される下部キャップ３５と、下部キャップ３５に昇降可能に結合され、スプリング３３の他端部を支持する上部キャップ５１と、下部キャップ３５および上部キャップ５１を相互連結するボルト５７とを有する。
【００２４】
スプリング３３は、所定の間隔を有して下部キャップ３５および上部キャップ５１の間に起立配置され、下部キャップ３５および上部キャップ５１が所定の間隔を維持するように所定の弾性力を提供する。ここで、スプリング３３は円錐状コイルスプリングからなることが好ましく、スプリング３３の円錐部が上部キャップ５１の底面に向かうことがより效果的である。
【００２５】
下部キャップ３５は、板状の本体３７と、本体３７に結合されてスプリング３３の一端部を支持する複数のスプリング支持端４３とを有する。
【００２６】
収容部２１ａ、２１ｂの底面に向かう本体３７の板面には、スプリング支持端４３が貫通する複数の貫通孔３９が形成されている。各貫通孔３９の周縁にはスプリング支持端４３の係止端４５が係止される係止溝４１が形成されている。
【００２７】
スプリング支持端４３は、ほぼ逆“Ｕ”字状の断面形状を有し、本体３７に上部キャップ５１に向かって突出して設置される。スプリング支持端４３の外周にはスプリング３３の一端部が取り付けられ、スプリング支持端４３の下端領域の開口の周縁には下部キャップ３５の係止溝４１に係止維持される係止端４５が形成されている。また、スプリング支持端４３の上端領域には、後述する昇降ロッド５３の貫通する貫通孔４７が形成されており、貫通孔４７の周縁には、後述するボルト５７のヘッド５７ｂがかかる係止部４９が形成されている。
【００２８】
上部キャップ５１は、一側が開口された管状を有する。上部キャップ５１の板面にはスプリング３３の他端部を支持する複数の昇降ロッド５３が下部キャップ３５に向かって突出している。昇降ロッド５３は棒状を有し、その中央領域には、後述するボルト５７のボルト軸５７ａがねじ結合される雌ねじ５３ａが形成されている。昇降ロッド５３の自由端部は下部キャップ３５の貫通孔３９に貫通結合され、スプリング支持端４３に昇降可能に結合される。
【００２９】
また、上部キャップ５１の板面には収容部２１ａ、２１ｂと連通する複数の第２通気孔５１ａが貫通形成されている。上部キャップ５１の第２通気孔５１ａは、収容部２１ａ、２１ｂと連通するようにインソール１５に形成された第１通気孔１５ａと連通可能に形成されることが好ましい。これによって、収容部２１ａ、２１ｂの空気は上部キャップ５１およびインソール１５の各通気孔５１ａ、１５ａによって循環し、履物１の内の空気循環を通じて密閉空気を外に排出し、履物１の内部で発生する熱、汗、悪臭などを除去することによって、健康を増進させることができるようになる。
【００３０】
ボルト５７は、雄ねじが形成されたボルト軸５７ａと、ボルト軸５７ａの一端部にボルト軸５７ａの軸線に対して垂直をなして突出したヘッド５７ｂとを有する。ボルト５７のボルト軸５７ａは昇降ロッド５３の雌ねじ５３ａにねじ結合されると同時に、ボルト５７のヘッド５７ｂはスプリング支持端４３の係止部４９に係止維持され、下部キャップ３５および上部キャップ５１は堅固に結合されて相互離脱しないようになる。ここで、ねじの代りにヘッドを有するピンなどが適用され得る。
【００３１】
一方、インソール１５には、ミッドソール１３の各収容部２１ａ、２１ｂの一部の空気が履物１の内部に排出される複数の第１通気孔１５ａが貫通形成されている。また、インソール１５には、ミッドソール１３の補助収容部２５に香水および抗菌剤を注入する注入口１６が貫通形成されている。
【００３２】
一方、本発明による履物１の一側には、収容部２１ａ、２１ｂとアウトソール１１の外側とを相互連通し、収容部２１ａ、２１ｂの一部の空気がアウトソール１１の外側に向かって排出される空気排出路６７を有する。
【００３３】
空気排出路６７には、空気排出路６７を通じて外部に排出される空気が逆流することを防止するエアチェックバルブ７１が備えられている。
【００３４】
図５に示すように、エアチェックバルブ７１は、収容部２１ａ、２１ｂの一部の空気が空気排出路６７に流入する流入孔７３ａが形成された収容部キャップ７３と、空気排出路６７内の空気がアウトソール１１の外側に排気される排気孔７５ａが形成された外部キャップ７５と、収容部キャップ７３および外部キャップ７５の間に備えられ、収容部キャップ７３に接近および離隔して流入孔７３ａを開閉する開閉ロッド７７と、開閉ロッド７７が収容部キャップ７３に密着するように所定の弾性力を提供するバルブ用スプリング７９とを有する。
【００３５】
収容部キャップ７３は空気排出路６７に着脱可能にねじ結合される。収容部キャップ７３の内周面は円錐の断面形状を有し、陷沒形成されている。
【００３６】
外部キャップ７５は、収容部キャップ７３と所定の間隔を有して空気排出路６７に着脱可能にねじ結合される。
【００３７】
開閉ロッド７７は、一端部が円錐の断面形状を有し、収容部キャップ７３の内周面に接近および離隔する。
【００３８】
バルブ用スプリング７９はコイルスプリングからなり、開閉ロッド７７と外部キャップ７５を弾性支持する。
【００３９】
これによって、エアチェックバルブ７１は緩衝部３１ａ、３１ｂと共に足に伝達される衝撃力をさらに效果的に緩和することができる。また、履物１の内の空気循環を通じて密閉空気を外に排出し、履物１の内部で発生する熱、汗、悪臭などを除去することによって、健康を増進させることができるようになる。
【００４０】
このような構成によって、本発明による履物１の動作について説明する。
【００４１】
使用者が履物１を履いた状態で、履物１が地面と接触する度に荷重に起因した衝撃力が履物１に伝達される。
【００４２】
つまり、荷重に起因した衝撃力は各収容部２１ａ、２１ｂの緩衝部３１ａ、３１ｂに伝達され、緩衝部３１ａ、３１ｂの上部キャップ５１が衝撃力の加圧によって下部に押さえられ、加圧地点で上部キャップ５１と下部キャップ３５との間の間隔が狭くなり、収容部２１ａ、２１ｂの空気に圧縮力が加えられる。圧縮された空気は、補助収容部２５内に収容された香水および抗菌剤と共に空気排出路６７を通じて履物１の外側に排出されるか、インソール１５の第１通気孔１５ａを通じて履物１の内側に排出される。一方、足の指部領域に備えられた収容部２１ａの空気は、補助収容部２５内に収容された香水および抗菌剤と共にグルーブ２３を通じて足の踵部領域に備えられた収容部２１ｂに流入し、空気排出路６７を通じて履物１の外側に排出されるか、またはインソール１５の第１通気孔１５ａを通じて履物１の内側に排出される。
【００４３】
この時、図６に示すように、空気排出路６７に流動する収容部２１ａ、２１ｂの一部の空気は、収容部キャップ７３の流入孔７３ａに流入しながら、収容部キャップ７３に密着して流入孔７３ａを閉鎖していた開閉ロッド７７を外部キャップ７５に向かって移動させ、空気排出路６７に流入する。そして、空気排出路６７に流入した空気は、外部キャップ７５の排気孔７５ａを通じてアウトソール１１の外側に排気される。これにより、収容部２１ａ、２１ｂの一部の空気がエアチェックバルブ７１を経て空気排出路６７を通じ履物１の外側に排出されることによって、足に伝達される衝撃力をさらに效果的に緩和することができる。
【００４４】
一方、衝撃力が履物１に伝達されなければ、つまり、荷重に起因した衝撃力が緩衝部３１ａ、３１ｂに作用しない場合、緩衝部３１ａ、３１ｂのスプリング３３の弾性力によって上部キャップ５１および下部キャップ３５は所定の間隔を維持するようになり、これによって緩衝部３１ａ、３１ｂは元の状態に復元される。
【００４５】
また、開閉ロッド７７は、バルブ用スプリング７９の弾性力によって収容部キャップ７３に向かって移動して密着し、図５に示すように流入孔７３ａが閉鎖される。この結果、外部からの異物が空気排出路６７を経て収容部２１ａ、２１ｂに流入することが防止される。
【００４６】
このように、使用者の足に加えられる衝撃を緩和させる緩衝部と、緩衝部を収容する収容部と、収容部の一部の空気がアウトソールの外側に向かって排出される空気排出路と、空気排出路を通じて外部に排出される空気が逆流することを防止するエアチェックバルブとを備えることによって、足に伝達される衝撃力を效果的に緩和し、履物の履き心地を向上させることができ、履物の内の空気循環を通じて密閉空気を外に排出し、履物の内部で発生する熱、汗、悪臭などを除去することによって、健康を増進させることができる。
【００４７】
一方、図７および図８には本発明の他の実施形態による履物の緩衝部が図示されている。これらの図面に示すように、本発明の他の実施形態による履物の緩衝部３１ａ'、３１ｂ'は、前述した実施形態とは異なって、複数のスプリング３３と、スプリング３３の一端部を支持し、収容部２１ａ、２１ｂに収容される下部キャップ３５と、スプリング３３を介して下部キャップ３５と対向配置される上部キャップ５１と、スプリング支持端４３に結合されて下部キャップ３５と上部キャップ５１とを相互連結するクリップ５９とを有する。
【００４８】
下部キャップ３５は、板状の本体３７と、本体３７に結合されてスプリング３３の一端部を支持する複数のスプリング支持端４３とを有する。
【００４９】
収容部２１ａ、２１ｂの底面に向かう本体３７の板面にはスプリング支持端４３が貫通する複数の貫通孔３９が形成されている。各貫通孔３９の周縁にはスプリング支持端４３の係止端４５が係止される係止溝４１が形成されている。
【００５０】
スプリング支持端４３は、ほぼ逆“Ｕ”字状の断面形状を有し、本体３７に上部キャップ５１に向かって突出して設置される。スプリング支持端４３の外周にはスプリング３３の一端部が取り付けられ、スプリング支持端４３の下端領域の開口の周縁には下部キャップ３５の係止溝４１に係止される係止端４５が形成されている。また、スプリング支持端４３の上端領域には、後述するクリップ５９のボディ部６１が貫通する貫通孔４７が形成されており、貫通孔４７の周縁には、後述するクリップ５９の係止突起６３が係止される係止部４９が形成されている。
【００５１】
上部キャップ５１には、スプリング支持端４５の貫通孔４７に対応してクリップ５９のボディ部６１が貫通結合するクリップ結合孔５５が形成されている。
【００５２】
クリップ５９は、スプリング３３の他端部が支持される棒状のボディ部６１と、ボディ部６１の軸線に対して垂直をなしてボディ部６１の一端部に突出してスプリング支持端４３の係止部４９に係止維持される係止突起６３と、ボディ部６１の軸線に対して垂直をなしてボディ部６１の他端部に突出してボディ部６１を上部キャップ５１に支持するフランジ６５とを有する。
【００５３】
これによって、クリップ５９のボディ部６１は、上部キャップ５１のクリップ結合孔５５とスプリング支持端４５の貫通孔４７を貫通すると同時に、クリップ５９の係止突起６３はスプリング支持端４３の係止部４９に係止されることで、下部キャップ３５および上部キャップ５１は堅固に結合されて相互離脱しないようになる。
【００５４】
一方、上述した実施形態においては、緩衝部は足の指部領域および踵部領域に備えられていることと説明しているが、緩衝部は足の指部領域および踵部領域のうちのいずれか一つにだけ備えられても良い。
【図面の簡単な説明】
【００５５】
【図１】本発明の一実施形態による履物の分解斜視図である。
【図２】図１の側断面図である。
【図３】図１の緩衝部の分解斜視図である。
【図４】図３の側断面図である。
【図５】図２のエアチェックバルブの側断面図である。
【図６】図５のエアチェックバルブが開放された状態を示す作動状態図である。
【図７】本発明の他の実施形態による履物の緩衝部の分解斜視図である。
【図８】図７の側断面図である。
【符号の説明】
【００５６】
１  履物
１１  アウトソール
１３  ミッドソール
１５  インソール
１７  アッパーソール
２１ａ、２１ｂ  収容部
３１ａ、３１ｂ  緩衝部 
３３  スプリング
３５  下部キャップ
４１  係止溝
４３  スプリング支持端
４５  係止端
４９  係止部
５１  上部キャップ
６３  係止突起
【図１】
2008508927.tif 000003
【図２】
2008508927.tif 000004
【図３】
2008508927.tif 000005
【図４】
2008508927.tif 000006
【図５】
2008508927.tif 000007
【図６】
2008508927.tif 000008
【図７】
2008508927.tif 000009
【図８】
2008508927.tif 000010
【国際調査報告】
2008508927.tif 000011
2008508927.tif 000012